(57)【要約】      （修正有）【課題】簡単で好みの角度に位置決めすることができる液晶表示器の保護パネルを提供する。【解決手段】上端の延伸部１１と下端の両端縁部には少なくとも二つか、或いは二以上の孔１２等を有し、孔には少なくとも二本、或いは二本以上の可撓性を備えた接続ベルト２等を貫通し、保護パネル１の上端の延伸部を液晶表示器４を跨ぐようにし、保護パネルの上下端の孔に貫通した接続ベルトを液晶表示器の背部に撓ませた後、接続ベルトの上下端を外側方向に引いて液晶表示器の背部に貼着し、上下端の孔から突出した接続ベルトを反対方向に折り曲げて対応する接続ベルト２等の方向を制限して、保護パネル１と液晶表示器４との間を好ましい方向に位置決め可能にする、液晶表示器の前面のモニタ４１との間に設けられ、モニタと等しい面積を具える。【選択図】図２
0003158019.tif 000002
【実用新案登録請求の範囲】
【請求項１】
上端の延伸部と下端の両端縁部には少なくとも二つか、或いは二以上の孔を有し、該孔には少なくとも二本、或いは二本以上の可撓性を備えた接続ベルトを貫通し、保護パネルの上端の延伸部を液晶表示器を跨ぐようにし、保護パネルの上下端の孔に貫通した接続ベルトを液晶表示器の背部に撓ませ、接続ベルトの上下端を外側方向に引いて液晶表示器の背部に貼着し、上下端の孔から突出した接続ベルトを反対方向に折り曲げて対応する接続ベルトの方向を制限して、保護パネルと液晶表示器との間を好ましい方向に位置決め可能にする、液晶表示器の前面のモニタとの間に設けられ、モニタと等しい面積を具えることを特徴とする液晶表示器の保護パネル。
【請求項２】
前記液晶表示器前面のモニタに設けられる保護パネルが、左右両側の下端縁部に隣接する位置にそれぞれ一、或いは一以上の孔を有し、該孔には少なくとも一本、或いは一本以上の可撓性を具えた接続ベルトが貫通され、液晶表示器のモニタと保護パネルとの間を補助し、好ましい位置に位置決めすることを特徴とする請求項１に記載の液晶表示器の保護パネル。
【請求項３】
前記液晶表示器の前面のモニタに設ける保護パネルが、上端の延伸部及び下端両側に設けられた孔に貫通した接続ベルトが面ファスナであることを特徴とする請求項１に記載の液晶表示器の保護パネル。
【請求項４】
前記液晶表示器の前面のモニタに設ける保護パネルが、左右両側に設けられた孔に貫通する接続ベルトが面ファスナであることを特徴とする請求項２に記載の液晶表示器の保護パネル。
【考案の詳細な説明】
【技術分野】
【０００１】
この考案は、液晶表示器の保護パネルであって、特に画像、映像、画面などを表示する液晶表示器の保護パネルに関する。
【背景技術】
【０００２】
従来の液晶表示器（即ち液晶テレビ）は、前面に表示器を保護するための保護パネルをフレーム上に設ける。
【０００３】
従来では、フックで掛けて設ける方法以外に、複数の両面テープで先に保護パネルの内側の四隅を予め接続し、表示器の前面のモニタにパネルフレームを設ける場合に再度、保護パネルの内側のそれぞれの両面テープの一側面の紙を剥がして液晶表示器のモニタに接続する。
【０００４】
しかしながら、上述の保護パネルのフレームを設ける方法は、一定期間使用する場合、次のような改善点がある。
【０００５】
両面テープで保護パネルと液晶表示器との間にフレームを設ける場合、一定の期間が過ぎると、両面テープがはがれ易くなる。
【０００６】
このため、再度両面テープを張り直さなければならないため、使用上不便である。
【０００７】
液晶表示器と保護パネルとの間から両面テープを剥がす度に液晶表示器の周辺の塗装がはがれ外観が美しくない。
【０００８】
傾斜して設ける液晶表示器は、モニターと保護パネルとの間の両面テープが重力の影響で下方向に力を受けて両面テープの側面と保護パネルとの間が次第に剥がれ落ちてくる。
【考案の開示】
【考案が解決しようとする課題】
【０００９】
この考案は、簡単で好みの角度に位置決めすることができる液晶表示器の保護パネルを提供することを課題とする。
【課題を解決するための手段】
【００１０】
そこで、本考案者は従来の技術に見られる欠点に鑑みて鋭意研究を重ねた結果、上端の延伸部と下端の両端縁部には少なくとも二つか、或いは二以上の孔を有し、該孔には少なくとも二本、或いは二本以上の可撓性を備えた接続ベルトを貫通し、保護パネルの上端の延伸部を液晶表示器を跨ぐようにし、保護パネルの上下端の孔に貫通した接続ベルトを液晶表示器の背部に撓ませ、接続ベルトの上下端を外側方向に引いて液晶表示器の背部に貼着し、上下端の孔から突出した接続ベルトを反対方向に折り曲げて対応する接続ベルトの方向を制限して、保護パネルと液晶表示器との間を好ましい方向に位置決め可能にする、液晶表示器の前面のモニタとの間に設けられ、モニタと等しい面積を具える液晶表示器の保護パネルによって課題を解決できる点に着眼し、かかる知見に基づいて本考案を完成させた。
【００１１】
以下、この考案について具体的に説明する。
請求項１に記載の液晶表示器の保護パネルは、上端の延伸部と下端の両端縁部には少なくとも二つか、或いは二以上の孔を有し、該孔には少なくとも二本、或いは二本以上の可撓性を備えた接続ベルトを貫通し、保護パネルの上端の延伸部を液晶表示器を跨ぐようにし、保護パネルの上下端の孔に貫通した接続ベルトを液晶表示器の背部に撓ませ、接続ベルトの上下端を外側方向に引いて液晶表示器の背部に貼着し、上下端の孔から突出した接続ベルトを反対方向に折り曲げて対応する接続ベルトの方向を制限して、保護パネルと液晶表示器との間を好ましい方向に位置決め可能にする、液晶表示器の前面のモニタとの間に設けられ、モニタと等しい面積を具える。
【００１２】
請求項２に記載の液晶表示器の保護パネルは、 請求項１における液晶表示器前面のモニタに設けられる保護パネルが、左右両側の下端縁部に隣接する位置にそれぞれ一、或いは一以上の孔を有し、該孔には少なくとも一本、或いは一本以上の可撓性を具えた接続ベルトが貫通され、液晶表示器のモニタと保護パネルとの間を補助し、好ましい位置に位置決めする。
【００１３】
請求項３に記載の液晶表示器の保護パネルは、 請求項１における液晶表示器の前面のモニタに設ける保護パネルが、上端の延伸部及び下端両側に設けられた孔に貫通した接続ベルトが面ファスナである。
【００１４】
請求項４に記載の液晶表示器の保護パネルは、 請求項２における液晶表示器の前面のモニタに設ける保護パネルが、左右両側に設けられた孔に貫通する接続ベルトが面ファスナであることを特徴とする液晶表示器の保護パネル。
【考案の効果】
【００１５】
この考案によ液晶表示器の保護パネルは、簡単で確実に設けられて実用的であるという効果を有する。
【考案を実施するための最良の形態】
【００１６】
この考案は、簡単で好みの角度に位置決めすることができる液晶表示器の保護パネルであって、上端の延伸部と下端の両端縁部には少なくとも二つか、或いは二以上の孔を有し、該孔には少なくとも二本、或いは二本以上の可撓性を備えた接続ベルトを貫通し、保護パネルの上端の延伸部を液晶表示器を跨ぐようにし、保護パネルの上下端の孔に貫通した接続ベルトを液晶表示器の背部に撓ませ、接続ベルトの上下端を外側方向に引いて液晶表示器の背部に貼着し、上下端の孔から突出した接続ベルトを反対方向に折り曲げて対応する接続ベルトの方向を制限して、保護パネルと液晶表示器との間を好ましい方向に位置決め可能にする、液晶表示器の前面のモニタとの間に設けられ、モニタと等しい面積を具える液晶表示器の保護パネルの構造と特徴を詳述するために具体的な実施例を挙げ、図示を参照にして以下に説明する。
【実施例】
【００１７】
図１は、この考案の液晶表示器の保護パネルの固定手段を示したものである。
【００１８】
該保護パネルの固定手段は、液晶表示器の前面のモニタに設け、保護パネル１の上端の延伸部１１と、下端の両端縁部には、少なくとも二、或いは二以上の孔１２が形成され、少なくとも二本、或いは二本以上の可撓性を具えた接続ベルト２を貫通して設けることができる。
【００１９】
また、保護パネル１は、その左右両側の下端縁部に隣接する部分にそれぞれ少なくとも一、或いは一以上の孔１３を設けて、少なくとも一本、或いは一本以上の可撓性を具えた接続ベルト３を貫通して設ける（保護パネルの上端の延伸部及び下端の両端縁部と、左右両側の孔に貫通する接続ベルトは、粘着テープで実施する）
【００２０】
上述の保護パネル１及び接続ベルト（２、３）は、液晶表示器４の前面のモニタ４１のフレームとして設ける場合（図２参照）、保護パネル１の上端の延伸部１１を液晶表示器４上に跨ぐように設け、保護パネル１の上下端の孔１２に貫通した接続ベルト２を液晶表示器４の背部に撓ませる。
【００２１】
それぞれの接続ベルト２は上下端を孔から外側方向に引いて液晶表示器４の背部の上下に貼着するように設ける（図３参照）。
【００２２】
上下端の孔から突出した接続ベルト２を反対方向に折り曲げて、対応する接続ベルト２の方向を制限する（図３Ａ、図３Ｂ参照）。
【００２３】
よって、保護パネル１と液晶表示器４との間が液晶表示器４の背部の左右両側の接続ベルト２で絡まれて接続され好ましい方向に制限される（図４参照）。
【００２４】
液晶表示器４はその前面のモニタ４１に設けた保護パネル１をさらに好ましい方向に制限するため、保護パネル１の左右両側の下端縁部に隣接する孔１３の間に接続ベルト３を貫通してもよい（図５参照）。
【００２５】
また、接続ベルト３の両端を液晶表示器４の背部に貼着させて、突出した接続ベルト３を反対方向に折り曲げて接続ベルト３の外側層の方向を制限することができる。
【００２６】
このため、液晶表示器４のモニタ４１の間に設けられた保護パネル１が横向きの方向に接続される（図６参照）。
【００２７】
上述の保護パネル及び接続ベルトは、液晶表示器の前面のモニタに保護パネルのフレームを設けることができる。
【００２８】
また、保護パネル及び接続ベルトは液晶表示器のフレームを何度も使用することができるため、環境保護の需要に適しているとともに、コストも抑えることができる。
【００２９】
該保護パネルと、接続ベルトは、液晶表示器の方向を制限することができ、簡単に操作することができ、特別な道具などを必要としない。
【００３０】
左右両側の縦方向及び横方向の接続ベルトは、液晶表示器の前面のモニタの保護パネルを安定して制限することができる。
【００３１】
よって、地震が頻繁に起こる地域では保護パネルが液晶表示器から落ちて液晶表示器のモニタが振動して周囲の物などにぶつかって傷がつくことを有効に防ぐことができる。
【００３２】
液晶表示器のモニタに安定して設けられた保護パネルは通常、幼児や子供が手ではじき部に触れて外れ、子供、或いはモニタが傷つくことを防ぐことができる。
【００３３】
液晶表示器のモニタに安定して設けられた保護パネルは通常、ペットが表示器上の動画を見て画面を爪でひっかくなどの動作をして抜け落ちる危険性を防ぐことができる。
【００３４】
傾斜したフレームに設けられた液晶表示器は、保護パネルと一定期間接続した後も液晶表示器の背部の左右両側の縦方向と横方向の接続ベルトで絡まれているため、常に安定して液晶表示器の間に設けられる。
【００３５】
液晶表示器の間に設けられた保護パネルは、その上下端と左右両側にまきつくように設けられたそれぞれの接続ベルトが方向を制限する。
【００３６】
よって、異なる規格の液晶表示器でもその厚さ、或いは薄さを適宜に調整することができ、保護パネルと接続ベルトとを使用上、調整することができる。
【００３７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３８】
【図１】この考案の液晶表示器の保護パネルを示した分解図である。
【図２】この考案の液晶表示器の保護パネルと液晶表示器とを組み合わせた状態を示した側面図である。
【図３】この考案の液晶表示器の保護パネルと液晶表示器との組み合わせを完成した状態を示した側面図である。
【図４】この考案の液晶表示器の保護パネルと液晶表示器との組み合わせを終了した状態を示した斜視図である。
【図５】この考案の液晶表示器の保護パネルと液晶表示器とを組み合わせた他の実施形態を示した側面図である。
【図６】この考案の液晶表示器の保護パネルと液晶表示器とを組み合わせた他の実施形態を示した斜視図である。
【符号の説明】
【００３９】
１           保護パネル
１１         延伸部
１２、１３   孔
２、３       接続ベルト
４           液晶表示器
４１         モニタ
【図１】
0003158019.tif 000003
【図２】
0003158019.tif 000004
【図３】
0003158019.tif 000005
【図４】
0003158019.tif 000006
【図５】
0003158019.tif 000007
【図６】
0003158019.tif 000008